(57)【要約】【課題】ねじ部分のバックラッシに起因する誤差を生じることなく、光軸方向のレンズ位置を微調整する。【解決手段】ロックナット（４）を回転させ、フランジ（３）の雄ねじ部分（３ｂ）とベース（５）の雌ねじ部分（５ｂ）の螺合のバックラッシを無くすがフランジ（３）を回転させることが可能な程度にロックナット（４）をベース（５）に押し付ける。フランジ（３）を回転させ、第１レンズ（１）と第２レンズ（６）の間隔が所望の間隔になるように微調整する。微調整完了後、ロックナット（４）を回転させ、フランジ（３）が回転しない程度にロックナット（４）をベース（５）に押し付ける。【効果】ねじ部分のバックラッシに起因する誤差を生じることなく、光軸方向のレンズ位置を微調整できる。レンズ位置が変動しないように固定できる。容易に再調整できる。【選択図】図１
0003137012.tif 000002
【実用新案登録請求の範囲】
【請求項１】
第１レンズと、前記第１レンズを支持すると共に光軸に垂直な平面部分を有する第１レンズホルダと、第２レンズと、前記第２レンズを支持すると共に光軸に平行なねじ部分を有するベースと、前記ベースのねじ部分に螺合しうるねじ部分および前記第１レンズホルダの平面部分に摺接しうる平面部分を有するフランジと、前記第１レンズホルダの平面部分と前記フランジの平面部分を当接させ且つ摺動可能に前記第１レンズホルダと前記フランジとを結合する結合部材と、前記フランジのねじ部分の一部を前記ベースのねじ部分に螺合した状態で前記ベースから出ている前記フランジのねじ部分に螺合しうるロックナットであって前記フランジのねじ部分と前記ベースのねじ部分の螺合のバックラッシを無くすが前記フランジのねじ部分を回転させることが可能な程度に前記ベースに押し付けるように螺合する機能および前記フランジのねじ部分を回転不能な程度に前記ベースに押し付けるように螺合する機能を有するロックナットとを具備したことを特徴とする光学レンズ装置。
【考案の詳細な説明】
【技術分野】
【０００１】
本考案は、光学レンズ装置に関し、さらに詳しくは、ねじ部分のバックラッシに起因する誤差を生じることなく光軸方向のレンズ位置を微調整できる光学レンズ装置に関する。
【背景技術】
【０００２】
従来、光軸に平行なねじ部分の螺合度を変えて光軸方向のレンズ位置を微調整すると共に微調整後にロックナットを締めて光軸に平行なねじ部分の螺合度を固定する光学レンズ装置が知られている（例えば、特許文献１、特許文献２参照。）。
【特許文献１】特開２００１−２７００７２号公報
【特許文献２】特開平１０−１８６１７０号公報
【考案の開示】
【考案が解決しようとする課題】
【０００３】
上記従来の光学レンズ装置では、ロックナットは、レンズ位置の微調整後に光軸に平行なねじ部分の螺合度を固定し、レンズ位置を固定する機能しか持っていなかった。
しかし、光軸に平行なねじ部分にはバックラッシがあるため、微調整後にロックナットを締めた時にバックラッシの分だけ誤差を生じかねない問題点があった。
そこで、本考案の目的は、ねじ部分のバックラッシに起因する誤差を生じることなく光軸方向のレンズ位置を微調整できる光学レンズ装置を提供することにある。
【課題を解決するための手段】
【０００４】
第１の観点では、本考案は、第１レンズと、前記第１レンズを支持すると共に光軸に垂直な平面部分を有する第１レンズホルダと、第２レンズと、前記第２レンズを支持すると共に光軸に平行なねじ部分を有するベースと、前記ベースのねじ部分に螺合しうるねじ部分および前記第１レンズホルダの平面部分に摺接しうる平面部分を有するフランジと、前記第１レンズホルダの平面部分と前記フランジの平面部分を当接させ且つ摺動可能に前記第１レンズホルダと前記フランジとを結合する結合部材と、前記フランジのねじ部分の一部を前記ベースのねじ部分に螺合した状態で前記ベースから出ている前記フランジのねじ部分に螺合しうるロックナットであって前記フランジのねじ部分と前記ベースのねじ部分の螺合のバックラッシを無くすが前記フランジのねじ部分を回転させることが可能な程度に前記ベースに押し付けるように螺合する機能および前記フランジのねじ部分を回転不能な程度に前記ベースに押し付けるように螺合する機能を有するロックナットとを具備したことを特徴とする光学レンズ装置を提供する。
上記第１の観点による光学レンズ装置では、光軸方向のレンズ位置を微調整する時は、フランジのねじ部分の一部をベースのねじ部分に螺合し、ベースから出ているフランジのねじ部分にロックナットをベースに押し付けるように螺合し、そのベースに押し付ける程度を、フランジのねじ部分とベースのねじ部分の螺合のバックラッシを無くすがフランジのねじ部分を回転させることが可能な程度とする。これにより、ねじ部分のバックラッシに起因する誤差を生じることなく、光軸方向のレンズ位置を微調整できる。微調整後に、ロックナットをベースに押し付ける程度を、フランジのねじ部分を回転不能な程度とする。これにより、レンズ位置を固定できる。そして、ロックナットを緩めれば、容易に再微調整も可能となる。
【考案の効果】
【０００５】
本考案の光学レンズ装置によれば、フランジのねじ部分とベースのねじ部分の螺合のバックラッシを無くすがフランジのねじ部分を回転させることが可能な程度にロックナットを締めることにより、ねじ部分のバックラッシに起因する誤差を生じることなく、光軸方向のレンズ位置を微調整できる。
【考案を実施するための最良の形態】
【０００６】
以下、図に示す実施例により本考案をさらに詳細に説明する。なお、これにより本考案が限定されるものではない。
【実施例１】
【０００７】
図１は、実施例１に係る光学レンズ装置１００を示す断面正面図である。図２は、平面図である。図３は、図１のＡ−Ａ’断面図である。
【０００８】
この光学レンズ装置１００は、固体レーザ装置のコリメータとして用いられており、コリメートされたレーザ光が出射する第１レンズ１と、第１レンズ１が接着されると共に第１レンズ１の光軸に垂直な平面部分９ａを有する第１レンズホルダ９と、レーザ結晶や波長変換素子などを含む固体レーザ装置本体Ｓからのレーザ光が入射する第２レンズ６と、第２レンズ６が接着されると共に第２レンズ６の光軸に平行な雌ねじ部分５ｂを有するベース５と、ベース５の雌ねじ部分５ｂに螺合しうる雄ねじ部分３ｂおよび第１レンズホルダ９の平面部分９ａに摺接しうる平面部分３ａを有するフランジ３と、第１レンズホルダ９の平面部分９ａとフランジ３の平面部分３ａを当接させ且つ摺動可能に第１レンズホルダ９とフランジ３とを結合するボルト２ａ，２ｂと、フランジ３の雄ねじ部分３ｂの一部をベース５の雌ねじ部分５ｂに螺合した状態でベース５から出ているフランジ３の雄ねじ部分３ｂに螺合しうるロックナット４とを具備している。
【０００９】
ロックナット４は、フランジ３の雄ねじ部分３ｂとベース５の雌ねじ部分５ｂの螺合のバックラッシを無くすがフランジ３（の雄ねじ部分３ｂ）を回転させることが可能な程度にベース５に押し付けるように螺合する機能と、フランジ３（の雄ねじ部分３ｂ）を回転不能な程度にベース５に押し付けるように螺合する機能とを有している。
【００１０】
第１レンズ１の位置微調整は次のようにして行う。
（１）第１レンズ１を接着した第１レンズホルダ９をフランジ３にボルト２ａ，２ｂで仮固定する。
（２）第２レンズ６を接着したベース５を固体レーザ装置本体Ｓにボルト（図示省略）で完全固定する。
（３）フランジ３の雄ねじ部分３ｂにロックナット４を螺合し、雄ねじ部分３ｂの基端側までねじ込んでおく。
（４）フランジ３の雄ねじ部分３ｂをベース５の雌ねじ部分５ｂに螺合し、第１レンズ１と第２レンズ６の間隔が大体所望の間隔になるまでねじ込む。
（５）ロックナット４を回転させて、フランジ３の雄ねじ部分３ｂとベース５の雌ねじ部分５ｂの螺合のバックラッシを無くすが、フランジ３（の雄ねじ部分３ｂ）を回転させることが可能な程度にロックナット４をベース５に押し付ける。
（６）フランジ３（の雄ねじ部分３ｂ）を回転させて、第１レンズ１と第２レンズ６の間隔が所望の間隔になるように微調整する。例えば、所望のビーム径になるように微調整する。
（７）第１レンズホルダ９をフランジ３に対して平面部分９ａ，３ａで面摺動させ、第１レンズ１の光軸に対して垂直な方向での第１レンズ１の位置を微調整する。例えば、所望の出射角および出射位置になるように微調整する。
（８）上記（６）（７）を繰り返し、微調整が完了したら、ロックナット４を回転させて、フランジ３（の雄ねじ部分３ｂ）が回転しないような程度にロックナット４をベース５に押し付ける。
（９）ボルト２ａ，２ｂを本締めして、第１レンズホルダ９をフランジ３に完全固定する。
【００１１】
実施例１に係る光学レンズ装置１００によれば、フランジ３の雄ねじ部分３ｂとベース５の雌ねじ部分５ｂの螺合のバックラッシを無くすが、フランジ３を回転させることが可能な程度にロックナット４を締めることにより、雄ねじ部分３ｂと雌ねじ部分５ｂの螺合のバックラッシに起因する誤差を生じることなく、第１レンズ１の光軸方向の位置を微調整できる。また、微調整後に、ロックナット４をベース５に強く押し付けるように回転し、フランジ３を回転不能にすれば、第１レンズ１の光軸に平行な方向の位置を固定できる。そして、ロックナット４を緩めれば、容易に再微調整も可能となる。
【産業上の利用可能性】
【００１２】
本考案の光学レンズ装置は、固定レーザ装置のコリメータとして利用できる。
【図面の簡単な説明】
【００１３】
【図１】実施例１に係る光学レンズ装置を示す断面正面図である。
【図２】実施例１に係る光学レンズ装置を示す平面図である。
【図３】図１のＡ−Ａ’断面図である。
【符号の説明】
【００１４】
１                第１レンズ
２ａ，２ｂ        ボルト
３                フランジ
３ａ              平面部分
３ｂ              雄ねじ部分
４                ロックナット
５                ベース
５ｂ              雌ねじ部分
６                第２レンズ
９                第１レンズホルダ
９ａ              平面部分
１００            光学レンズ装置
Ｓ                固体レーザ装置本体
【図１】
0003137012.tif 000003
【図２】
0003137012.tif 000004
【図３】
0003137012.tif 000005